(57)【要約】【課題】かごおよびカウンタウエイトの下面とバッファキャップとの衝突が発生しないエレベータを得る。【解決手段】昇降路内を上下に移動するかご１と、ワイヤーロープ３を介してかご１と連結したカウンタウエイト４と、かご１の下方に設けられたかご側バッファ２と、カウンタウエイト４の下方に設けられたカウンタウエイト側バッファ５と、かご側バッファ２およびカウンタウエイト側バッファ５の上端部に着脱可能に設けられ、落下したかご１またはカウンタウエイト４を支えるバッファキャップ６とを備えたエレベータにおいて、バッファキャップ６を収納可能なバッファキャップ収納ケース８と、バッファキャップ６の収納の有無を検出するバッファキャップ収納検出手段とを有し、このバッファキャップ収納検出手段は、バッファキャップ６の未収納を検出するとエレベータの運転を不可能にする。【選択図】図１
2007254103.tif 000002
【特許請求の範囲】
【請求項１】
昇降路内を上下に移動するかごと、
一端部が前記かごと連結したワイヤーロープと、
前記ワイヤーロープの他端部に連結し、前記かごと重量のバランスをとるカウンタウエイトと、
前記昇降路内に上下方向に延びて設けられ、前記カウンタウエイトを前記昇降路に沿って案内するカウンタウエイト側レールと、
前記かごの下方で前記昇降路の床面に設けられ、前記かごの落下衝撃を緩衝するかご側バッファと、
前記カウンタウエイトの下方で前記床面に設けられ、前記カウンタウエイトの落下衝撃を緩衝するカウンタウエイト側バッファと、
前記がご側バッファおよび前記カウンタウエイト側バッファの少なくとも一方の上端部に着脱可能に設けられ、落下したかごまたはカウンタウエイトを支えるバッファキャップと、
を備えたエレベータにおいて、
前記昇降路内に設けられ、前記バッファキャップを収納可能なバッファキャップ収納ケースと、
前記バッファキャップ収納ケースに設けられ、前記バッファキャップの前記バッファキャップ収納ケースに対する収納の有無を検出するバッファキャップ収納検出手段と、
を有し、
前記バッファキャップ収納検出手段は、前記バッファキャップの前記バッファキャップ収納ケースに対する未収納を検出すると、前記エレベータの運転を不可能にすることを特徴とするエレベータ。
【請求項２】
前記バッファキャップ収納検出手段は、
前記バッファキャップの前記バッファキャップ収納ケースに対する収納の有無により閉開されて、電気信号を発生するスイッチと、
前記スイッチが発生した電気信号により、前記エレベータの運転の可否を制御するリレーコイルを有していることを特徴とする請求項１に記載のエレベータ。
【請求項３】
前記バッファキャップ収納ケースは、前記カウンタウエイト側レールの側面に設けられていることを特徴とする請求項１または請求項２に記載のエレベータ。
【発明の詳細な説明】
【技術分野】
【０００１】
この発明は、かごおよびカウンタウエイトの落下衝撃を緩衝するために、それぞれかごおよびカウンタウエイトの下方にバッファが備えられたエレベータに関する。
【背景技術】
【０００２】
従来のエレベータとして、かごと、一端部にかごと連結したワイヤーロープと、前記ワイヤーロープの他端部に連結し前記かごと重量のバランスをとるカウンタウエイトと、前記かごの下方で前記昇降路の床面に設けられ前記かごの落下衝撃を緩衝するかご側バッファと、前記カウンタウエイトの下方で前記床面に設けられ前記カウンタウエイトの落下衝撃を緩衝するカウンタ側バッファとを備えたエレベータが知られている（例えば、特許文献１参照）。
【０００３】
しかしながら、このものの場合、作業者が昇降路の床面でエレベータの点検をする際に、ブレーキ故障等によりかごが落下した場合、かごがかご側バッファの高さまで下がるので、作業するスペースが少なくなり、作業性が低下するという問題点があった。
【０００４】
この問題を解決したものとして、作業者が昇降路の床面でエレベータの点検をする際に、かご側バッファの上部にバッファキャップを新たに設けることで、ブレーキ故障等によりかごが落下しても、かご側バッファおよびバッファキャップが支えとなるので、エレベータがより高い位置で停止し、作業するスペースが確保でき、作業性が低下することを防いでいる。
【０００５】
【特許文献１】特開平８−２８４９号公報
【発明の開示】
【発明が解決しようとする課題】
【０００６】
しかしながら、このものの場合、作業終了した後、バッファキャップをかご側バッファから外し忘れた時に、このままの状態でエレベータの運転を行うと、かごの下面とバッファキャップとの衝突が発生し、かご等が破損するという問題点があった。
【０００７】
この発明は、上述のような問題点を解決することを課題とするものであって、その目的は、バッファキャップをかご側バッファまたはカウンタウエイト側バッファから外し忘れた時に、このままの状態でのエレベータの運転によるかごの下面またはカウンタウエイトの下面とバッファキャップとの衝突を防ぐことで、かご等の破損を防止できるエレベータを提供するものである。
【課題を解決するための手段】
【０００８】
この発明に係るエレベータは、昇降路を上下に移動するかごと、一端部が前記かごと連結したワイヤーロープと、前記ワイヤーロープの他端部に連結し、前記かごと重量のバランスをとるカウンタウエイトと、前記昇降路内に上下方向に延びて設けられ、前記カウンタウエイトを前記昇降路に沿って案内するカウンタウエイト側レールと、前記かごの下方で前記昇降路の床面に設けられ、前記かごの落下衝撃を緩衝するかご側バッファと、前記カウンタウエイトの下方で前記床面に設けられ、前記カウンタウエイトの落下衝撃を緩衝するカウンタウエイト側バッファと、前記がご側バッファおよび前記カウンタウエイト側バッファの少なくとも一方の上端部に着脱可能に設けられ、落下したかごまたはカウンタウエイトを支えるバッファキャップとを備えたエレベータにおいて、前記昇降路内に設けられ前記バッファキャップを収納可能なバッファキャップ収納ケースと、前記バッファキャップ収納ケースに設けられ、前記バッファキャップの前記バッファキャップ収納ケースに対する収納の有無を検出するバッファキャップ収納検出手段とを有し、前記バッファキャップ収納検出手段は、前記バッファキャップの前記バッファキャップ収納ケースに対する未収納を検出すると、前記エレベータの運転を不可能にする。
【発明の効果】
【０００９】
この発明に係るエレベータによれば、バッファキャップをかご側バッファまたはカウンタウエイト側バッファから外し忘れた状態では、エレベータの運転を不可能なので、かごの下面またはカウンタウエイトの下面とバッファキャップとが衝突することはなく、かご等の破損を防止できる。
【発明を実施するための最良の形態】
【００１０】
実施の形態１．
図１はこの発明の実施の形態１に係るエレベータの構成図、図２は図１のバッファキャップ６およびバッファキャップ収納ケース８を示す斜視図、図３は図２の移動体８ｂおよびスイッチ箱８ｃを示す斜視図である。
【００１１】
実施の形態１に係るエレベータは、かご１と、このかご１の下方で昇降路の床面に設けられ、かご１の落下衝撃を緩衝するかご側バッファ２と、一端部にかご１と連結したワイヤーロープ３と、このワイヤーロープ３の他端部に連結し、かご１と重量のバランスをとるカウンタウエイト４と、このカウンタウエイト４の下方で昇降路の床面に設けられ、カウンタウエイト４の落下衝撃を緩衝するカウンタウエイト側バッファ５と、かご側バッファ２とカウンタウエイト側バッファ５とのどちらの上部にも着脱可能なバッファキャップ６とを備えている。
【００１２】
昇降路内部には、昇降路の上下方向に延び、カウンタウエイト４を昇降路の軸線方向に沿って案内するカウンタウエイト側レール７が設けられている。
カウンタウエイト側レール７の側面には、バッファキャップ６を収納するバッファキャップ収納ケース８が設けられている。
【００１３】
バッファキャップ６は、直径が１０ｃｍ、長さが１ｍ程度の円筒形状の本体６ａと、この本体６ａの上部に設けられ、平板形状の頭部６ｂと、本体６ａの底に設けられ、下面でかご側バッファ２またはカウンタウエイト側バッファ５の上部を把持する基部６ｃとを備えている。
【００１４】
バッファキャップ収納ケース８は、頭部６ｂおよび基部６ｃを保持してバッファキャップ６を収納する収納ケース本体８ａと、バッファキャップ６のバッファキャップ収納ケース８に対する収納の有無を検出する検出本体１３とを備えている。
検出本体１３は、直方体形状のスイッチ箱８ｃと、このスイッチ箱８ｃの内部から下方へ延び、上下に移動可能な移動体８ｂと、スイッチ箱８ｃ内部に設けられた後述するスイッチ９とリレーコイル１０とを有している。
収納ケース本体８ａの天面には、貫通孔１２が形成されている。
移動体８ｂの端部には、貫通孔１２を通って収納ケース本体８ａに臨んだローラーが設けられており、バッファキャップ６をバッファキャップ収納ケース８に収納する際に、ローラーが回転して、収納し易くしている。
検出本体１３は、ビス１１を介してカウンタウエイト側レール７の側面に取り付けられている。
【００１５】
図４は検出本体１３内部のスイッチ９およびリレーコイル１０の回路図を示しており、検出本体１３の内部には、移動体８ｂと連動するスイッチ９と、スイッチ９と直列に接続されたリレーコイル１０とが設けられている。
スイッチ９およびリレーコイル１０を挟んだ両端には、それぞれ異なる電圧が印加されており、スイッチ９が閉じると、この電圧がリレーコイル１０の両端に印加される。
また、このリレーコイル１０は図示しないエレベータ制御装置と接続されており、このエレベータ制御装置に対して、エレベータの運転の可否の信号を出力する。
バッファキャップ収納検出手段は、移動体８ｂおよび検出本体１３を有している。
【００１６】
図５に示すように、実施の形態１に係るエレベータにおいて、バッファキャップ６をバッファキャップ収納ケース８に収納すると、移動体８ｂが頭部６ｂにより押し上げられ、上方へ移動する。
上方へ移動した移動体８ｂは、検出本体１３内で移動体８ｂと連動するスイッチ９を閉じる。
スイッチ９が閉じると、リレーコイル１０の両端には電圧が印加され、リレーコイル１０は作動して、図示しないエレベータ制御装置に対して、エレベータを運転可能とする信号を出力する。
その結果、バッファキャップ６がバッファキャップ収納ケース８に収納されている状態では、エレベータは運転可能となる。
【００１７】
一方、バッファキャップ６をバッファキャップ収納ケース８から取り出し、かご側バッファ２に取り付けると、移動体８ｂが自重により、下方へ移動する。
移動体８ｂが下方へ移動すると、スイッチ箱８ｃ内のスイッチ９が開く。
スイッチ９が開くと、リレーコイル１０の両端には電圧が印加されないので、リレーコイル１０は逆方向に作動して、エレベータ制御装置に対してエレベータの運転を不可能にする信号を出力する。
その結果、バッファキャップ６をバッファキャップ収納ケース８から取り出した状態では、常に、エレベータの運転が不可能となる。
また、カウンタウエイト側バッファ５にバッファキャップ６を取り付けた場合も、バッファキャップ６がバッファキャップ収納ケース８から取り出されるので、かご側バッファ２に取り付けた時と同様に、エレベータの運転が不可能となる。
である。
【００１８】
以上説明したように、この実施の形態１に係るエレベータによると、エレベータの点検等で、バッファキャップ６をバッファキャップ収納ケース８から取り出し、かご側バッファ２またはカウンタウエイト側バッファ５に取り付け、作業終了後、バッファキャップ６をかご側バッファ２またはカウンタウエイト側バッファ５から外し忘れた状態では、エレベータの運転を不可能にするので、かご１の下面またはカウンタウエイトの下面とバッファキャップ６との衝突を防ぎ、かご等の破損を防止することができる。
【００１９】
また、バッファキャップ６のバッファキャップ収納ケース８に対する収納の有無によりスイッチ９が閉開し、電気信号に変換して出力される。この電気信号により、リレーコイル１０が作動し、エレベータの運転の可否の信号をエレベータ制御装置に対して伝達するので、簡単な構成でエレベータの運転を制御することができる。
【００２０】
また、バッファキャップ収納ケース８は、カウンタウエイト側レール７の側面に設けられているので、昇降路内で作業者が簡単にバッファキャップ６をバッファキャップ収納ケース８に出し入れすることができる。
【図面の簡単な説明】
【００２１】
【図１】実施の形態１に係るエレベータの構成図である。
【図２】図１のバッファキャップおよびバッファキャップ収納ケースを示す斜視図である。
【図３】図２の移動体およびスイッチ箱を示す斜視図である。
【図４】図３の検出本体内部のスイッチおよびリレーコイルの回路図である。
【図５】実施の形態１に係るエレベータのエレベータ制御装置を制御するブロック図である。
【符号の説明】
【００２２】
１  かご、２  かご側バッファ、３  ワイヤーロープ、４  カウンタウエイト、５  カウンタウエイト側バッファ、６  バッファキャップ、６ａ  本体、６ｂ  頭部、６ｃ  基部、７  カウンタウエイト側レール、８  バッファキャップ収納ケース、８ａ  収納ケース本体、８ｂ  移動体、８ｃ  スイッチ箱、９  スイッチ、１０  リレーコイル、１１  ビス、１２  貫通孔、１３  検出本体。
【図１】
2007254103.tif 000003
【図２】
2007254103.tif 000004
【図３】
2007254103.tif 000005
【図４】
2007254103.tif 000006
【図５】
2007254103.tif 000007